(57)【特許請求の範囲】
【請求項１】
レーザ光が照射されることでデータが再生される第１記録層及び前記第１記録層を介して前記レーザ光が照射されることで前記データが再生される第２記録層の夫々を備える情報記録媒体に、前記レーザ光を照射し且つ該レーザ光の反射光を検出信号として検出する検出手段と、
前記検出された検出信号にフィルタリング処理を施すハイパスフィルターと、
前記フィルタリングされた検出信号を再生処理することで前記データを再生する再生手段とを備えており、
前記ハイパスフィルターは、前記第１記録層と前記第２記録層との間の相対偏心に起因して生ずる前記検出信号の変動成分を、第１減衰量以上減衰することを特徴とする情報再生装置。
【請求項２】
前記ハイパスフィルターのカットオフ周波数の下限は、前記相対偏心及び前記レーザ光が前記第２記録層にフォーカシングされているときの前記第１記録層上における前記レーザ光のスポット径の夫々の大きさに基づいて規定されることを特徴とする請求項１に記載の情報再生装置。
【請求項３】
前記レーザ光が照射されている半径位置をＲ、線速度をＶ、前記相対偏心の大きさをＤ、前記スポット径をＢ、再生速度をｎ倍速とすると、前記カットオフ周波数の下限は、ｎ／（（２×π×Ｒ×２×ｓｉｎ−１（Ｂ／Ｄ））／（Ｖ×３６０））にて示される周波数の信号成分を前記第１減衰量減衰可能な周波数であることを特徴とする請求項２に記載の情報再生装置。
【請求項４】
前記ハイパスフィルターのカットオフ周波数の下限は、前記相対偏心の最大許容量及び前記レーザ光が前記第２記録層にフォーカシングされているときの前記第１記録層上における前記レーザ光のスポット径の夫々の大きさに基づいて規定されることを特徴とする請求項１に記載の情報再生装置。
【請求項５】
前記レーザ光が照射されている半径位置をＲ、線速度をＶ、前記相対偏心の最大許容量の大きさをＤ、前記スポット径をＢ、再生速度をｎ倍速とすると、前記カットオフ周波数の下限は、ｎ／（（２×π×Ｒ×２×ｓｉｎ−１（Ｂ／Ｄ））／（Ｖ×３６０））にて示される周波数の信号成分を前記第１減衰量減衰可能な周波数であることを特徴とする請求項４に記載の情報再生装置。
【請求項６】
前記ハイパスフィルターは、前記検出信号の２値化を行うことができるように、前記変動成分を前記第１減衰量以上減衰させることを特徴とする請求項１に記載の情報再生装置。
【請求項７】
前記第１減衰量は、２０ｄＢ以上であることを特徴とする請求項１に記載の情報再生装置。
【請求項８】
前記変動成分は、前記第１記録層における第１状態のエリア部分と前記第１記録層における前記第１状態とは異なる第２状態のエリア部分との境界付近に対応する前記第２記録層に前記レーザ光が照射されている場合に生ずる変動成分であることを特徴とする請求項１に記載の情報再生装置。
【請求項９】
前記ハイパスフィルターは、前記データを記録するために前記第２記録層上に形成される最長ピットに前記レーザ光が照射されることで検出される前記検出信号の信号レベルを概ね維持することを特徴とする請求項１に記載の情報再生装置。
【請求項１０】
前記ハイパスフィルターのカットオフ周波数の上限は、前記最長ピットに前記レーザ光が照射されることで検出される前記検出信号の信号レベルを概ね維持することができる周波数であることを特徴とする請求項９に記載の情報再生装置。
【請求項１１】
前記ハイパスフィルターは、前記データを記録するために前記第２記録層上に形成される最長ピットに基準再生速度で前記レーザ光が照射されることで検出される前記検出信号の信号レベルを概ね維持することを特徴とする請求項１に記載の情報再生装置。
【請求項１２】
前記ハイパスフィルターのカットオフ周波数の上限は、前記最長ピットに前記基準再生速度で前記レーザ光が照射されることで検出される前記検出信号の信号レベルを概ね維持することができる周波数であることを特徴とする請求項１１に記載の情報再生装置。
【請求項１３】
前記ハイパスフィルターは、前記データを記録するために前記第２記録層上に形成される最長ピットに前記レーザ光が照射されることで検出される前記検出信号を前記第１減衰量よりも小さい第２減衰量未満しか減衰しないことを特徴とする請求項１に記載の情報再生装置。
【請求項１４】
前記ハイパスフィルターのカットオフ周波数の上限は、前記最長ピットに前記レーザ光が照射されることで検出される前記検出信号を前記第２減衰量減衰する周波数であることを特徴とする請求項１３に記載の情報再生装置。
【請求項１５】
前記ハイパスフィルターは、前記データを記録するために前記第２記録層上に形成される最長ピットに基準再生速度で前記レーザ光が照射されることで検出される前記検出信号を前記第１減衰量よりも小さい第２減衰量未満しか減衰しないことを特徴とする請求項１に記載の情報再生装置。
【請求項１６】
前記ハイパスフィルターのカットオフ周波数の上限は、前記最長ピットに前記基準再生速度で前記レーザ光が照射されることで検出される前記検出信号を前記第２減衰量減衰する周波数であることを特徴とする請求項１５に記載の情報再生装置。
【請求項１７】
前記第２減衰量は、略０．２ｄＢであることを特徴とする請求項１３に記載の情報再生装置。
【発明の詳細な説明】
【技術分野】
【０００１】
本発明は、例えばＤＶＤ等の情報記録媒体に記録されたデータを再生する情報再生装置の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、同一基板上に複数の記録層が積層されてなる多層型の光ディスク等も開発されている。より具体的には、多層型の光ディスクの一具体例である二層型の光ディスクは、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。該半透過反射膜の奥側に接着層等の中間層を介して位置する第２記録層（本願では適宜「Ｌ１層」と称する）を有しており、更にその奥側に位置する反射膜を有する。そして、このような二層型の情報記録媒体を作成する際には、Ｌ０層とＬ１層とを別々に形成し、最後に夫々の層を貼り合わせることで、低コストに二層型の光ディスクを製造することができる。【０００３】
そして、このような二層型の光ディスクを記録する、ＣＤレコーダ等の情報記録装置では、Ｌ０層に対して記録用のレーザ光を集光（或いは、照射）することで、Ｌ０層に対してデータを非可逆変化記録方式や書換え可能方式で記録し、Ｌ１層に対して該レーザ光を集光することで、Ｌ１層に対してデータを非可逆変化記録方式や書換え可能方式で記録することになる。【０００４】
他方、このような光ディスクに記録されたデータを再生する際には、好適なデータの再生を維持するために、光ピックアップから照射されるレーザ光が光ディスクの記録面上で反射することによって得られる検出信号（即ち、ＲＦ信号）に重畳する直流電位差（ないしは、ＤＣレベル変動）を除去する必要がある。このため、ハイパスフィルターによって検出信号の直流電位差等を除去した後に検出信号の２値化を行う対策（特許文献１、特許文献２及び特許文献３参照）や、データスライサのスライサレベルにオフセットを加えて２値化を行う対策（特許文献４参照）等が考えられている。これらの対策では、ハイパスフィルターの時定数（ないしは、カットオフ周波数）やデータスライサのスライサレベルに加えるオフセットの大きさは、傷や指紋等に起因して光ディスクの表面に生ずるディフェクトに応じて定められたり、或いは、データ部と該データ部に付随するヘッダ部との記録特性の相違に応じて定められる。【０００５】
【特許文献１】特開２００３―４６３７３号公報
【特許文献２】特開２００２−１２３９４５号公報
【特許文献３】特開２０００−１８２２３９号公報
【特許文献４】特開２００２−３１９２３９号公報
【発明の開示】
【発明が解決しようとする課題】
【０００６】
しかしながら、二層型の光ディスクにおいては、Ｌ０層とＬ１層との間に偏心が生ずることが往々にしてある。このような偏心が生じている場合には、Ｌ０層の記録状態によっては、Ｌ１層のデータを再生する際に検出される検出信号に、従来予期しなかった直流電位差が生ずるおそれがある。具体的には、エンボスピットが形成されているＬ０層のエンボスエリア部分と、記録マークが形成されるＬ０層のグルーブエリア部分との境界付近を介してＬ１層にレーザ光を照射する場合には、偏心の存在によって、Ｌ０層を透過するレーザ光の光強度が変動する。というのも、偏心の存在によって、レーザ光は、エンボスエリア部分のみを介してＬ１層に照射される場合があったり、グルーブエリア部分のみを介してＬ１層に照射される場合があったり、或いはエンボスエリア部分とグルーブエリア部分の夫々を介してＬ１層に照射される場合があるからである。このため、Ｌ１層に記録されたデータを再生する際には、Ｌ０層を透過するレーザ光の光強度の変動に起因して、検出信号に直流電位変動が発生する。これにより、データの再生（特に、検出信号の２値化）を好適に行うことが困難となり得るという技術的な問題点が生ずる。【０００７】
本発明が解決しようとする課題は上記のようなものが一例として挙げられる。具体的には、本発明は、多層型の光ディスクにおいて好適なデータの再生を行うことができる情報再生装置を提供することを課題とする。
【課題を解決するための手段】
【０００８】
上記課題を解決するために、本発明の情報再生装置は、レーザ光が照射されることでデータが再生される第１記録層及び前記第１記録層を介して前記レーザ光が照射されることで前記データが再生される第２記録層の夫々を備える情報記録媒体に、前記レーザ光を照射し且つ該レーザ光の反射光を検出信号として検出する検出手段と、前記検出された検出信号にフィルタリング処理を施すハイパスフィルターと、前記フィルタリングされた検出信号を再生処理することで前記データを再生する再生手段とを備えており、前記ハイパスフィルターは、前記第１記録層と前記第２記録層との間の相対偏心に起因して生ずる前記検出信号の変動成分を、第１減衰量以上減衰する。【０００９】
本発明の作用及び他の利得は次に説明する実施の形態から明らかにされよう。
【図面の簡単な説明】
【００１０】
【図１】本実施例に係る情報記録媒体である複数の記録領域を有する光ディスクの基本構造を示した概略平面図であり、該光ディスクの概略断面図と、これに対応付けられた、その半径方向における記録領域構造の図式的概念図である。
【図２】本実施例に係る情報再生装置の基本構成を概念的に示すブロック図である。
【図３】本実施例に係る情報再生装置が備えるハイパスフィルター及び２値化回路のより詳細な回路構成を概念的に示す回路図である。
【図４】Ｌ０層の状態と、レーザ光のＬ１層からの反射光より得られる検出信号の直流電圧レベルとの関係を概念的に示す断面図及びグラフである。
【図５】本実施例に係る光ディスクが有し得る偏心の具体例を概念的に示す平面図ないし断面図である。
【図６】偏心が生じているときの、レーザ光の照射位置を概念的に示す断面図である。
【図７】偏心が生じているときの、Ｌ０層の状態と、レーザ光のＬ１層からの反射光より得られる検出信号の直流電圧レベルとの関係を概念的に示す断面図及びグラフである。
【図８】Ｌ１層へのレーザ光の照射の態様を概念的に示す断面図である。
【図９】カットオフ周波数ｆｃの範囲及びハイパスフィルターのフィルタ特性を概念的に示す一のグラフである。
【図１０】カットオフ周波数ｆｃの範囲及びハイパスフィルターのフィルタ特性を概念的に示す他のグラフである。
【図１１】カットオフ周波数ｆｃの範囲及びハイパスフィルターのフィルタ特性を概念的に示す他のグラフである。
【図１２】カットオフ周波数ｆｃの範囲及びハイパスフィルターのフィルタ特性を概念的に示す他のグラフである。
【図１３】検出信号とその２値化の態様を概念的に示す波形図である。
【符号の説明】
【００１１】
１  情報再生装置
１１  光ピックアップ
１２  プリアンプ
１３  イコライザ
１４  ハイパスフィルター
１５  ＤＳＰ
１６  ２値化回路
１００  光ディスク
ｆｃ  カットオフ周波数
ｆｃ１  カットオフ周波数の上限
ｆｃ２  カットオフ周波数の下限
【発明を実施するための最良の形態】
【００１２】
以下、本発明の情報再生装置の実施形態について説明を進める。【００１３】
本発明の情報再生装置に係る実施形態によれば、レーザ光が照射されることでデータが再生される第１記録層及び前記第１記録層を介して前記レーザ光が照射されることで前記データが再生される第２記録層の夫々を備える情報記録媒体に、前記レーザ光を照射し且つ該レーザ光の反射光を検出信号として検出するピックアップと、前記検出された検出信号にフィルタリング処理を施すフィルタリングと、前記フィルタリングされた検出信号を再生処理することで前記データを再生する再生手段とを備えており、前記ハイパスフィルターは、前記第１記録層と前記第２記録層との間の相対偏心に起因して生ずる前記検出信号の変動成分を、第１減衰量以上減衰する。【００１４】
本発明の情報再生装置に係る実施形態によれば、例えば後述の光ピックアップ等の検出手段の動作により、情報記録媒体に対してレーザ光が照射され、その反射光が検出信号として検出される。より具体的には、第１記録層にレーザ光が照射され、その反射光が第１記録層に記録されているデータを示す検出信号として検出される。他方、レーザ光を照射する側から見て第１記録層よりも奥側（言い換えれば、遠い側）に位置する第２記録層に第１記録層を介してレーザ光が照射され、その反射光が第２記録層に記録されているデータを示す検出信号として検出される。検出手段により検出された検出信号は、ハイパスフィルター等のハイパスフィルターの動作により、フィルタリング処理が施される。その後、フィルタリング処理がなされた検出信号は、再生手段の動作により、再生処理（例えば、２値化処理やデコード処理等）が施された後、ディスプレイやスピーカー等の外部出力機器に出力され、所定の映像や音声等として再生される。【００１５】
本実施形態では特に、ハイパスフィルターは、第１記録層と第２記録層との間の相対偏心に起因して生ずる検出信号の変動成分を第１減衰量以上減衰するように、検出信号にフィルタリング処理を施す。つまり、第１記録層と第２記録層との貼り合わせ誤差等による相対偏心（言い換えれば、第１記録層と第２記録層との相対的な位置ずれ）に起因した変動成分が検出信号に重畳したとしても、該変動成分がハイパスフィルターの動作により除去される。その結果、再生手段には、変動成分が除去された検出信号（即ち、情報記録媒体に記録されているデータそのものの検出信号、ないしは情報記録媒体に記録されているデータそのものの検出信号と概ね同一の信号）が入力される。【００１６】
これにより、相対偏心に起因して生ずる検出信号の変動成分を検出信号より除去することができる。その結果、検出信号を好適に再生処理（例えば、２値化処理等）することができるため、多層型の情報記録媒体に記録されたデータを好適に再生することができる。【００１７】
本発明の情報再生装置に係る実施形態の一の態様は、前記ハイパスフィルターのカットオフ周波数（或いは、該カットオフ周波数の下限）は、前記相対偏心及び前記レーザ光が前記第２記録層にフォーカシングされているときの前記第１記録層上における前記レーザ光のスポット径の夫々の大きさに基づいて規定される。
【００１８】
この態様によれば、変動成分を生成する要因となり得る相対偏心の大きさ及びレーザ光が第２記録層にフォーカシングされているときの第１記録層上におけるレーザ光のスポット径の夫々の大きさに基づいて、ハイパスフィルターのカットオフ周波数或いはその下限が設定される。これにより、相対偏心に起因して生ずる検出信号の変動成分を検出信号より除去することができ、その結果、多層型の情報記録媒体に記録されたデータを好適に再生することができる。
【００１９】
上述の如く相対偏心及びスポット径の夫々の大きさに基づいてカットオフ周波数或いはその下限が規定される情報再生装置の態様では、前記レーザ光が照射されている半径位置をＲ、線速度をＶ、前記相対偏心の大きさをＤ、前記スポット径をＢ、再生速度をｎ倍速とすると、前記カットオフ周波数の下限は、ｎ／（（２×π×Ｒ×２×ｓｉｎ−１（Ｂ／Ｄ））／（Ｖ×３６０））にて示される周波数の信号成分を前記第１減衰量減衰可能な周波数であるように構成してもよい。言いかえれば、カットオフ周波数は、ｎ／（（２×π×Ｒ×２×ｓｉｎ−１（Ｂ／Ｄ））／（Ｖ×３６０））にて示される周波数の信号成分を前記第１減衰量以上減衰可能な周波数であるように構成してもよい。【００２０】
このように構成すれば、変動成分であるｎ／（（２×π×Ｒ×２×ｓｉｎ−１（Ｂ／Ｄ））／（Ｖ×３６０））にて示される周波数の信号成分を好適に除去することができる。その結果、多層型の情報記録媒体に記録されたデータを好適に再生することができる。【００２１】
本発明の情報再生装置に係る実施形態の他の態様は、前記ハイパスフィルターのカットオフ周波数（或いは、カットオフ周波数の下限）は、前記相対偏心の最大許容量及び前記レーザ光が前記第２記録層にフォーカシングされているときの前記第１記録層上における前記レーザ光のスポット径の夫々の大きさに基づいて規定される。
【００２２】
この態様によれば、実際の相対偏心の大きさに代えて、規格等によって定められている相対偏心の最大許容量の大きさ及びスポット径の夫々の大きさに基づいて、ハイパスフィルターのカットオフ周波数が設定される。これにより、相対偏心に起因して生ずる検出信号の変動成分を検出信号より除去することができ、その結果、多層型の情報記録媒体に記録されたデータを好適に再生することができる。
【００２３】
上述の如く相対偏心の最大許容量及びスポット径の夫々の大きさに基づいてカットオフ周波数が規定される情報再生装置の態様では、前記レーザ光が照射されている半径位置をＲ、線速度をＶ、前記相対偏心の最大許容量の大きさをＤ、前記スポット径をＢ、再生速度をｎ倍速とすると、前記カットオフ周波数の下限は、ｎ／（（２×π×Ｒ×２×ｓｉｎ−１（Ｂ／Ｄ））／（Ｖ×３６０））にて示される周波数の信号成分を前記第１減衰量減衰可能な周波数であるように構成してもよい。言い換えれば、カットオフ周波数は、ｎ／（（２×π×Ｒ×２×ｓｉｎ−１（Ｂ／Ｄ））／（Ｖ×３６０））にて示される周波数の信号成分を前記第１減衰量以上減衰可能な周波数であるように構成してもよい。【００２４】
このように構成すれば、変動成分であるｎ／（（２×π×Ｒ×２×ｓｉｎ−１（Ｂ／Ｄ））／（Ｖ×３６０））にて示される周波数の信号成分を好適に除去することができる。その結果、多層型の情報記録媒体に記録されたデータを好適に再生することができる。【００２５】
本発明の情報再生装置に係る実施形態の他の態様は、前記ハイパスフィルターは、前記検出信号の２値化を行うことができるように、前記変動成分を前記第１減衰量以上減衰させる。【００２６】
この態様によれば、検出信号の２値化を好適に行うことができる程度に、フィルタリング手段の動作により、変動成分が除去される。具体的には、後述するように２値化回路において用いられる２値化電圧が検出信号に追従できる程度に、変動成分が除去される。これにより、相対偏心に起因して生ずる検出信号の変動成分を検出信号より除去することができ、その結果、多層型の情報記録媒体に記録されたデータを好適に再生することができる。【００２７】
本発明の情報記録装置に係る実施形態の他の態様は、前記第１減衰量は、２０ｄＢ以上（より好ましくは、３４ｄＢ以上）である。【００２８】
この態様によれば、検出信号に重畳する変動成分を２０ｄＢ以上（より好ましくは、３４ｄＢ以上）減衰させることができる。このため、情報記録媒体に記録されたデータの再生を好適に行うことができるように（言い換えれば、情報記録媒体に記録されたデータの再生に悪影響を与えない程度に）、或いは検出信号の２値化を好適に行うことができるように（言い換えれば、検出信号の２値化に悪影響を与えない程度に）、変動成分が除去される。これにより、相対偏心に起因して生ずる検出信号の変動成分を検出信号より除去することができ、その結果、多層型の情報記録媒体に記録されたデータを好適に再生することができる。【００２９】
本発明の情報再生装置に係る実施形態の他の態様は、前記変動成分は、前記第１記録層における第１状態のエリア部分と前記第１記録層における前記第１状態とは異なる第２状態のエリア部分との境界付近に対応する前記第２記録層に前記レーザ光が照射されている場合に生ずる変動成分である。【００３０】
この態様によれば、このような変動成分を検出信号より除去することができ、その結果、多層型の情報記録媒体に記録されたデータを好適に再生することができる。【００３１】
本発明の情報再生装置に係る実施形態の他の態様は、前記ハイパスフィルターは、前記データを記録するために前記第２記録層上に形成される最長ピット（例えば、情報記録媒体の一具体例であるＤＶＤであれば、１４Ｔマークに係るピット）に前記レーザ光が照射されることで検出される前記検出信号の信号レベルを概ね維持する。【００３２】
この態様によれば、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００３３】
尚、「検出信号の信号レベルを概ね維持する」とは、検出信号に含まれるデータの再生に影響を与えない程度に信号レベルを維持することを意味する趣旨である。【００３４】
上述の如く最長ピットレーザ光が照射されることで検出される検出信号の信号レベルを概ね維持する情報再生装置の態様では、前記ハイパスフィルターのカットオフ周波数の上限は、前記最長ピットに前記レーザ光が照射されることで検出される前記検出信号の信号レベルを概ね維持することができる周波数であるように構成してもよい。【００３５】
このように構成すれば、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００３６】
本発明の情報再生装置に係る実施形態の他の態様は、前記ハイパスフィルターは、前記データを記録するために前記第２記録層上に形成される最長ピットに基準再生速度（例えば、１倍速の再生速度）で前記レーザ光が照射されることで検出される前記検出信号の信号レベルを概ね維持する。【００３７】
この態様によれば、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００３８】
上述の如く最長ピットに基準再生速度でレーザ光が照射されることで検出される検出信号の信号レベルを概ね維持する情報再生装置の態様では、前記ハイパスフィルターのカットオフ周波数の上限は、前記最長ピットに基準再生速度で前記レーザ光が照射されることで検出される前記検出信号の信号レベルを概ね維持することができる周波数であるように構成してもよい。【００３９】
このように構成すれば、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００４０】
本発明の情報再生装置に係る実施形態の他の態様は、前記ハイパスフィルターは、前記データを記録するために前記第２記録層上に形成される最長ピットに前記レーザ光が照射されることで検出される前記検出信号を前記第１減衰量よりも小さい第２減衰量未満減衰する。【００４１】
この態様によれば、情報記録媒体に記録されたデータそのものの検出信号の信号レベルを、最大でも第２減衰量しか減衰させない。従って、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００４２】
上述の如く最長ピットの検出信号を第２減衰量減衰させる情報再生装置の態様では、前記ハイパスフィルターのカットオフ周波数の上限は、前記最長ピットに前記レーザ光が照射されることで検出される前記検出信号を前記第２減衰量減衰する周波数であるように構成してもよい。言い換えれば、カットオフ周波数は、前記最長ピットに前記レーザ光が照射されることで検出される前記検出信号を前記第２減衰量未満しか減衰しない周波数であるように構成してもよい。【００４３】
このように構成すれば、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００４４】
本発明の情報再生装置に係る実施形態の態様は、前記ハイパスフィルターは、前記データを記録するために前記第２記録層上に形成される最長ピットに基準再生速度で前記レーザ光が照射されることで検出される前記検出信号を前記第１減衰量よりも小さい第２減衰量未満減衰する。【００４５】
この態様によれば、情報記録媒体に記録されたデータそのものの検出信号の信号レベルを、最大でも第２減衰量しか減衰させない。従って、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００４６】
上述の如く基準再生速度での最長ピットの検出信号を第２減衰量減衰させる情報再生装置の態様では、前記ハイパスフィルターのカットオフ周波数の上限は、前記最長ピットに前記基準再生速度で前記レーザ光が照射されることで検出される前記検出信号を前記第２減衰量減衰する周波数であるように構成してもよい。言い換えれば、カットオフ周波数は、前記最長ピットに前記レーザ光が照射されることで検出される前記検出信号を前記第２減衰量未満しか減衰しない周波数であるように構成してもよい。【００４７】
このように構成すれば、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００４８】
本発明の情報再生装置に係る実施形態の他の態様は、前記第２減衰量は、略０．２ｄＢである。【００４９】
このように構成すれば、情報記録媒体に記録されたデータそのものの検出信号の信号レベルを、最大でも０．２ｄＢしか減衰させない。従って、相対偏心に起因して生ずる検出信号の変動成分を検出信号より除去しつつも、情報記録媒体に記録されたデータそのものの検出信号の信号レベルをあまり或いは殆ど低下させることはない。これにより、相対偏心に起因して生ずる検出信号の変動成分を検出信号より除去することができると共に、多層型の情報記録媒体に記録されたデータを好適に再生することができる。【００５０】
本発明のこのような作用及び他の利得は次に説明する実施例から更に明らかにされる。【００５１】
以上説明したように、本発明の情報再生装置に係る実施形態は、検出手段と、ハイパスフィルターと、再生手段とを備える。従って、相対偏心に起因して生ずる検出信号の変動成分を検出信号より除去することができ、その結果、多層型の情報記録媒体に記録されたデータを好適に再生することができる。
【実施例】
【００５２】
以下、図面を参照して本発明の情報再生装置の好適な実施例について説明する。【００５３】
（１）  情報記録媒体
先ず、図１を参照して、本発明の情報再生装置に係る実施例により再生される情報記録媒体について説明を進める。ここに、図１（ａ）は、本実施例に係る情報記録媒体である複数の記録領域を有する光ディスクの基本構造を示した概略平面図であり、図１（ｂ）は、該光ディスクの概略断面図と、これに対応付けられた、その半径方向における記録領域構造の図式的概念図である。【００５４】
図１（ａ）及び図１（ｂ）に示されるように、光ディスク１００は、例えば、ＤＶＤと同じく直径１２ｃｍ程度のディスク本体上の記録面に、センターホール１０１を中心として本実施例に係るリードインエリア１０２、データ記録エリア１０７並びにリードアウトエリア１０８又はミドルエリア１０９が設けられている。そして、光ディスク１００の例えば、透明基板２００に、記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なプリフォーマットアドレスによるデータ管理単位である。【００５５】
尚、本発明は、このような三つのエリアを有する光ディスクには特に限定されない。例えば、リードインエリア１０２、リードアウトエリア１０８又はミドルエリア１０９が存在せずとも、以下に説明するデータ構造等の構築は可能である。また、後述するように、リードインエリア１０２、リードアウトエリア１０８又はミドルエリア１０９は更に細分化された構成であってもよい。【００５６】
特に、本実施例に係る光ディスク１００は、図１（ｂ）に示されるように、例えば、透明基板に、後述される本発明に係る第１及び第２記録層の一例を構成するＬ０層及びＬ１層が積層された構造をしている。このような２層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。【００５７】
また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００５８】
（２）  情報再生装置の基本構成
続いて、図２を参照して、本実施例に係る情報再生装置の基本構成について説明する。ここに、図２は、本実施例に係る情報再生装置の基本構成を概念的に示すブロック図である。【００５９】
図２に示すように、本実施例に係る情報再生装置１は、光ディスク１００と、スピンドルモータ１０と、光ピックアップ（ＰＵ：Pick Up）１１と、プリアンプ１２と、イコライザ１３と、ハイパスフィルター（ＨＰＦ：Hi Pass Filter）１４と、ＤＳＰ（Digital Signal Processor）１５とを備える。【００６０】
スピンドルモータ１０は、ＤＳＰ１５から出力されるスピンドルサーボ制御信号により制御される図示しないサーボ回路等により、スピンドルサーボを受けつつ所定速度で光ディスク１００を回転させるように構成されている。【００６１】
光ピックアップ１１は、本発明における「検出手段」の一具体例を構成しており、光ディスク１００に記録されたデータの再生を行うもので、半導体レーザ装置、フォトディテクタ、各種レンズ、アクチュエータ等から構成される。より詳細には、光ピックアップ１１は、光ディスク１００に対してレーザ光ＬＢを照射し、光ディスク１００の記録面により反射したレーザ光をフォトディテクタにより検出し、検出信号を生成する。生成された検出信号は、プリアンプ１２へ出力される。【００６２】
プリアンプ１２は、光ピックアップ１１から照射されるレーザ光ＬＢの反射光を受光するフォトディテクタから出力される検出信号を増幅し、該増幅した信号を出力する。具体的には、検出信号（即ち、ＲＦ信号）がイコライザ１３に出力される。【００６３】
イコライザ１３は、プリアンプ１２から出力される検出信号に対して所定の信号処理（例えば、信号波形の整形処理等）を行い、且つ信号処理が行われた後の検出信号をハイパスフィルター１４へ出力可能に構成されている。【００６４】
尚、イコライザ１３による信号処理に加えて、ＡＳＰによる信号処理やＡＧＣ（Auto Gain Control）によるゲインコントロールがプリアンプ１２より出力される検出信号になされるように構成してもよい。【００６５】
ハイパスフィルター１４は、イコライザ１３より出力される検出信号に対してフィルタリング処理を行い、検出信号に含まれる低周波信号成分（ないしは、直流信号成分）を除去する。フィルタリング処理は、後述するカットオフ周波数ｆｃに応じて行われる。低周波信号成分ないしは直流信号成分が除去された検出信号は、ＤＳＰ１５へ出力される。【００６６】
ＤＳＰ１５は、本発明における「再生手段」の一具体例を構成しており、ハイパスフィルター１４より出力される検出信号の２値化処理を行うことで２値化信号を生成し、該２値化信号に対して各種信号処理（例えば、デコード処理や誤り訂正処理や復調処理等）を施すことで、例えば映像信号や音声信号等を含む再生信号を生成する。検出信号に対する２値化処理は、ＤＳＰ１５中に備えられている２値化回路１６により行われる。生成された再生信号は、ディスプレイやスピーカー等の外部出力機器へ出力され、例えば映像や音声として再生される。【００６７】
尚、図２に示した構成要素は、本実施例の説明を行うために必要な最小限の構成要素を選択的に示しているため、上述した構成要素以外の構成要素を更に備えていてもよいことは言うまでもない。【００６８】
続いて、図３を参照して、本実施例に係る情報再生装置が備えるハイパスフィルター１４及び２値化回路１６のより詳細な構成について説明する。ここに、図３は、本実施例に係る情報再生装置が備えるハイパスフィルター１４及び２値化回路１６のより詳細な回路構成を概念的に示す回路図である。【００６９】
図３に示すように、ハイパスフィルター１４は、コンデンサ１４１と、接地された抵抗１４２とを備えている。ハイパスフィルター１４のカットオフ周波数ｆｃは、コンデンサ１４１の静電容量値Ｃと、抵抗１４２の抵抗値Ｒとによって定まる。具体的には、ｆｃ＝１／（２×π×Ｒ×Ｃ）となる。【００７０】
本実施例では、カットオフ周波数ｆｃが、後述する範囲（図８参照）に収まるようにコンデンサ１４１の静電容量値Ｃ及び抵抗１４２の抵抗値Ｒの夫々が設定される。【００７１】
２値化回路１６は、コンパレータ１６１及びオペアンプ１６２、抵抗１６２及び抵抗１６４、並びにコンデンサ１６５を含んで構成されている。ハイパスフィルター１４を通過した検出信号は、コンパレータ１６１の正相入力端子に入力され、コンパレータ１６１の出力信号は、抵抗１６２を介してオペアンプ１６３の逆相入力端子に入力される。オペアンプ１６３の正相入力端子には、基準電圧Ｖｒｅｆが印加される。そして、オペアンプ１６３の出力信号は、コンパレータ１６１の逆相入力端子に帰還されると共に、抵抗１６４及びコンデンサ１６５を介してオペアンプ１６３の逆相入力端子に帰還される。その結果、検出信号が２値化された２値化信号が、コンパレータ１６１の出力端子より、デコーダ等を備える次段処理回路１５１へ出力される。【００７２】
このような構成を有する情報再生装置１により、光ディスク１００に記録されたデータが再生される。より具体的には、Ｌ０層に記録されたデータを再生する際には、Ｌ０層にレーザ光ＬＢが集光されるようにフォーカシングを行い、Ｌ０層の記録面において反射したレーザ光ＬＢの検出信号が検出される。他方、Ｌ１層に記録されたデータを再生する際には、Ｌ１層にレーザ光ＬＢが集光されるようにフォーカシングを行い、Ｌ１層の記録面において反射したレーザ光ＬＢの検出信号が検出される。【００７３】
このとき、Ｌ１層に記録されたデータを再生する際には、Ｌ０層を介してレーザ光ＬＢを照射する必要がある。このため、レーザ光ＬＢが透過するＬ０層の状態によっては、Ｌ１層上でのレーザ光ＬＢの光強度（ないしは、パワー）が変化することがある。このような、Ｌ１層上でのレーザ光ＬＢの光強度の変化について、図４を参照して説明する。ここに、図４は、Ｌ０層の状態と、レーザ光ＬＢのＬ１層からの反射光より得られる検出信号の直流電圧レベルとの関係を概念的に示す断面図及びグラフである。【００７４】
図４の上部に示すように、例えば物理的なエンボスピットが形成されているエンボスエリアと、グルーブトラックやランドトラックが形成されており且つレーザ光ＬＢ等の照射によってグルーブトラック（或いは、ランドトラック）上に記録マークが形成されているグルーブエリア（即ち、記録済みのグルーブエリア）とがＬ０層に存在しているとする。この場合、レーザ光ＬＢに対するエンボスエリアの透過率は、レーザ光ＬＢに対する記録済みのグルーブエリアの透過率よりも小さい。このため、一定のパワーのレーザ光ＬＢをＬ１層に照射した場合には、エンボスエリアを介して照射されるレーザ光ＬＢのＬ１層上での光強度と、グルーブエリアを介して照射されるレーザ光ＬＢのＬ１層上での光強度とが異なる。より具体的には、エンボスエリアを介して照射されるレーザ光ＬＢのＬ１層上での光強度は、グルーブエリアを介して照射されるレーザ光ＬＢのＬ１層上での光強度よりも弱くなる。【００７５】
このため、図４の下部に示すように、一定のパワーのレーザ光ＬＢをＬ１層に照射した場合には、Ｌ０層のエンボスエリアを介してＬ１層に照射されるレーザ光ＬＢの反射光を検出することで得られる検出信号の直流電圧レベルと、Ｌ０層のグルーブエリアを介してＬ１層に照射されるレーザ光ＬＢの反射光を検出することで得られる検出信号の直流電圧レベルとが異なる。より具体的には、Ｌ０層のエンボスエリアを介してＬ１層に照射されるレーザ光ＬＢの反射光を検出することで得られる検出信号の直流電圧レベルは、Ｌ０層のグルーブエリアを介してＬ１層に照射されるレーザ光ＬＢの反射光を検出することで得られる検出信号の直流電圧レベルよりも小さくなる。【００７６】
ところで、Ｌ０層とＬ１層とを有する２層型の光ディスク１００は、偏心を有することが往々にしてある。ここで、図５を参照して、本実施例に係る光ディスク１００が有し得る偏心の具体例について説明する。ここに、図５は、本実施例に係る光ディスク１００が有し得る偏心の具体例を概念的に示す平面図ないし断面図である。【００７７】
図５（ａ）に示すように、円盤状の光ディスクの中心と該光ディスクの回転中心軸とが一致しない場合には、回転中心軸のズレによる偏心が生ずる。図５（ａ）中の黒太線で示す光ディスクが、黒丸で示す回転中心軸を中心として回転した場合、その時間によって鎖線で示す位置に光ディスクが存在することとなる。この場合、光ピックアップ１１が回転中心軸からの距離に基づき、光ディスク上の所定のトラックをサーチしようとしても、回転中心軸のズレによる偏心により好適にサーチすることができない。即ち、回転中心軸から同一の距離にある光ピックアップ１１から照射されるレーザ光ＬＢは、複数のトラックに跨って光ディスクに照射されることとなる。このレーザ光ＬＢが跨る複数のトラックの数（或いは、その径方向の長さ）がここでの偏心に相当する。【００７８】
また、図５（ｂ）に示すように、光ディスクには面ぶれによる偏心が生ずる。具体的には、これは、光ディスクの特に外周部の反り返りに起因して発生するものである。従って、面ぶれが生じている場合（即ち、回転軸に対して光ディスクの記録面が垂直に交わらない場合）と面ぶれが生じていない場合（即ち、回転軸に対して光ディスクの記録面が垂直に交わる場合）とでは、光ディスクの中心から同一の半径位置にある光ピックアップ１１から照射されるレーザ光ＬＢは異なるトラック（或いは、異なる物理アドレスの位置）に照射されることになる。この、面ぶれが生じている場合と面ぶれが生じていない場合とのレーザ光が照射される位置の相違が、ここでの偏心に相当する。【００７９】
また、図５（ｃ）に示すように、多層型の光ディスクには、貼り合わせ誤差による偏心が生ずる。これを２層型の光ディスクを例に具体的に説明すると、この２層型の光ディスクは、第１記録層（Ｌ０層）と第２記録層（Ｌ１層）とを貼り合わせて製造される。このとき、Ｌ０層の中心とＬ１層の中心とが回転軸に対して一致しない場合には、夫々の記録層の同一アドレス（或いは、同一トラック）により示される記録位置（或いは、記録領域）が、光ピックアップ１１から見て一致しない。この一致しない夫々の記録位置のズレが、ここでの偏心に該当する。【００８０】
特に、二つの記録層を有する本実施例に係る光ディスク１００では、図５（ｃ）に示すような偏心が生ずることによって、データの再生に対して悪影響を与え得るという技術的な問題点が生ずる。ここで、図６及び図７を参照して、偏心が生じている場合のデータの再生時の問題点について説明する。ここに、図６は、偏心が生じているときの、レーザ光ＬＢの照射位置を概念的に示す断面図であり、図７は、偏心が生じているときの、Ｌ０層の状態と、レーザ光ＬＢのＬ１層からの反射光より得られる検出信号の直流電圧レベルとの関係を概念的に示す断面図及びグラフである。【００８１】
図６（ａ）に示すように、Ｌ０層の第ｋトラックとＬ１層の第ｋトラックとは、本来偏心が生じていなければ、レーザ光ＬＢを照射する側から見て同じ位置にある。しかしながら、偏心が生じている場合には、Ｌ０層の第ｋトラックとＬ１層の第ｋトラックとが、レーザ光ＬＢを照射する側から見て異なる位置に存在することがある。【００８２】
例えば、図６（ｂ）に示すように、Ｌ１層の第ｋトラックがＬ０層の第ｋトラックよりも外周側に存在することがある。この場合、レーザ光ＬＢは、Ｌ０層のグルーブエリアを介してＬ１層の第ｋトラックに照射される。【００８３】
或いは、図６（ｃ）に示すように、Ｌ１層の第ｋトラックがＬ０層の第ｋトラックよりも内周側に存在することがある。この場合、レーザ光ＬＢは、Ｌ０層のエンボスエリアを介してＬ１層の第ｋトラックに照射される。【００８４】
このように、偏心が生じている光ディスク１００のＬ１層の第ｋトラックに記録されているデータを再生する際には、レーザ光ＬＢは、図６（ｂ）に示す状態と図６（ｃ）に示す状態との間を遷移する。つまり、Ｌ１層を基準としてみれば、レーザ光ＬＢは第ｋトラックに常に照射されているが、Ｌ０層を基準としてみれば、レーザ光ＬＢは第ｋトラックを中心として、外周側に位置する第ｋ＋Δｋ１トラックと内周側に位置する第ｋ−Δｋ２トラックとの間を適宜遷移しながら照射される。【００８５】
そして、図７（ａ）に示すように、Ｌ０層の第ｋトラック付近にエンボスエリアとグルーブエリアとの境界が存在している場合には、Ｌ０層上におけるレーザ光ＬＢの照射位置の遷移によって、図７（ｂ）に示すように、レーザ光ＬＢのＬ１層からの反射光より得られる検出信号の直流電圧レベルも変動する。図７（ｂ）に示すように、期間Ａにおいては、レーザ光ＬＢは、Ｌ０層のエンボスエリアのみを介してＬ１層の第ｋトラックに照射されている（図６（ｃ）に示す状態）。期間Ｂにおいては、レーザ光ＬＢは、Ｌ０層のエンボスエリアとグルーブエリアとの夫々を介してＬ１層の第ｋトラックに照射されている（図６（ｃ）に示す状態から図６（ｂ）に示す状態へ移行している状態）。期間Ｃにおいては、レーザ光ＬＢは、Ｌ０層のグルーブエリアを介してＬ１層の第ｋトラックに照射されている（図６（ｂ）に示す状態）。期間Ｄにおいては、レーザ光ＬＢは、Ｌ０層のエンボスエリアとグルーブエリアとの夫々を介してＬ１層の第ｋトラックに照射されている（図６（ｂ）に示す状態から図６（ｃ）に示す状態へ移行している状態）。期間Ａから期間Ｄまで経過することで、Ｌ１層の第ｋトラックを１周シークしたことになる。【００８６】
このような直流電圧レベルが変動している検出信号では、２値化回路１６において、好適な或いは理想的な２値化を行うことが困難である。その結果、光ディスク１００に記録されているデータを好適に再生することが困難となる。このため、本実施例においては、ハイパスフィルター１４のカットオフ周波数ｆｃを以下に示す範囲に収めることで、直流電圧レベルの変動を除去し、検出信号の好適な２値化及び好適なデータの再生を実現している。以下、ハイパスフィルター１４のカットオフ周波数ｆｃについて説明する。【００８７】
尚、図５（ｃ）に示す貼り合わせ誤差による偏心に、図５（ａ）に示す回転中心軸のズレによる偏心や図５（ｂ）に示すような面ぶれによる偏心をも含んだ、光ディスク１００全体としての総合的な偏心を考慮して、カットオフ周波数ｆｃの範囲を定めることが好ましい。以下の説明では、単に「偏心」と説明している場合には、図５（ｃ）に示す貼り合わせ誤差による偏心を意味することに加えて又は代えて、図５（ａ）に示す回転中心軸のズレによる偏心や図５（ｂ）に示すような面ぶれによる偏心をも含んだ、光ディスク１００全体としての総合的な偏心を意味することもある。【００８８】
（３）  ハイパスフィルターのカットオフ周波数
続いて、図８から図１１を参照して、ハイパスフィルター１４のカットオフ周波数ｆｃについて説明する。ここに、図８は、Ｌ１層へのレーザ光ＬＢの照射の態様を概念的に示す断面図であり、図９は、カットオフ周波数ｆｃの範囲及びハイパスフィルター１４のフィルタ特性を概念的に示す一のグラフであり、図１０は、カットオフ周波数ｆｃの範囲及びハイパスフィルター１４のフィルタ特性を概念的に示す他のグラフであり、図１１は、カットオフ周波数ｆｃの範囲及びハイパスフィルター１４のフィルタ特性を概念的に示す他のグラフであり、図１２は、カットオフ周波数ｆｃの範囲及びハイパスフィルター１４のフィルタ特性を概念的に示す他のグラフであり、図１３は、検出信号とその２値化の態様を概念的に示す波形図である。【００８９】
図８に示すように、光ディスク１００の偏心の最大値をＤ［μｍ］とし、Ｌ１層にレーザ光ＬＢを照射した場合の、Ｌ０層上におけるレーザ光ＬＢのスポット径をＢ［μｍ］とし、エンボスエリアとグルーブエリアとの境界部分の半径位置をＲ［ｍｍ］とし、線速度をＶ［ｍｍ／ｓ］とする。このとき、定数θを、θ＝ｓｉｎ−１（Ｂ／Ｄ）と定義する。【００９０】
この場合、半径Ｒの位置に存在するトラックを１周シークするために要する時間Ｔｒは、Ｔｒ＝（２×π×Ｒ）／Ｖとなる。従って、Ｌ０層上のレーザ光ＬＢのスポットが、エンボスエリアとグルーブエリアとの境界部分を含みながら移動するために要する遷移時間Ｔｍ（即ち、図７（ｂ）の期間Ｂと期間Ｄとの和に相当する遷移時間Ｔｍ）は、Ｔｍ＝（Ｔｒ×２×θ）／３６０となる。このとき、再生速度が、基準速度である１倍速に対してｎ倍速であるとすると、直流電圧レベルの変動の周波数は、ｎ／Ｔｍにて示される。【００９１】
従って、ハイパスフィルター１４のカットオフ周波数ｆｃは、周波数がｎ／Ｔｍである信号成分を十分に（言い換えれば、好適なデータの再生を維持できる程度に或いは検出信号の２値化を好適に行うことができるように）減衰できる周波数である。例えば、カットオフ周波数ｆｃは、周波数がｎ／Ｔｍである信号成分を、２０ｄＢ以上減衰できる周波数であることが好ましい。より好ましくは、カットオフ周波数ｆｃは、周波数がｎ／Ｔｍである信号成分を、３４ｄＢ以上減衰できる周波数であることが好ましい。このとき、カットオフ周波数の下限ｆｃ１は、周波数がｎ／Ｔｍである信号成分を、２０ｄＢ減衰できる周波数、より好ましくは３４ｄＢ減衰できる周波数となる。もちろん、「３４ｄＢ」や「２０ｄＢ」という数値は一具体例であって、好適なデータの再生を維持できる程度に或いは検出信号の２値化を好適に行うことができるような減衰量であればよい。【００９２】
他方、ハイパスフィルター１４によって、光ディスク１００に記録されているデータをそのものの検出信号を減衰されないようにする必要がある。光ディスク１００に記録されているデータをそのものの検出信号のうち、最も周波数が低い信号成分は、１倍速の再生速度にて、最長ピット（例えば、光ディスク１００の一具体例を構成するＤＶＤであれば１４Ｔパターンのピット）を再生することで得られる信号である。従って、ハイパスフィルター１４のカットオフ周波数ｆｃは、最長ピットを再生することで得られる検出信号をあまり或いは殆ど減衰させない周波数であることが好ましい。言い換えれば、ハイパスフィルター１４のカットオフ周波数ｆｃは、最長ピットを再生することで得られる検出信号を、再生に影響を与えない程度にしか減衰しない周波数であることが好ましい。つまり、ハイパスフィルター１４のカットオフ周波数ｆｃは、１／１４Ｔよりも小さい必要がある。言い換えれば、ハイパスフィルター１４のカットオフ周波数ｆｃの上限ｆｃ２は、１／１４Ｔよりも小さい必要がある。【００９３】
具体的な数値を例示して説明する。光ディスク１００の一具体例であるＤＶＤ−Ｒ  ＤＬ（Dual Layer）では、相対偏心は１００［μｍp-p］以下となるように規格により定められている。従って、相対偏心の最大値Ｄは、５０［μｍ0-p］となる。また、規格により定められる光ディスク１００に対して、規格により定められたレーザ光ＬＢを照射すると、Ｌ０層上におけるスポット半径Ｂは、概ね１５［μｍ］となる。従って、１倍速の再生速度でデータを再生する際の遷移時間Ｔｍは、概ね８［ｍｓ］となる。そして、現行のＤＶＤ−Ｒ  ＤＬにおいて機械的な制限より定められる最高回転数時の倍速は、光ディスク１００の最内周側でおよそ６倍である。【００９４】
このため、ハイパスフィルター１４のカットオフ周波数ｆｃは、６／（８×１０−３）＝７５０Ｈｚの周波数の信号成分を、３４ｄＢ以上減衰させる周波数であることが好ましい。係る要件を満たすために、例えば、ハイパスフィルター１４のカットオフ周波数ｆｃは、５０ＫＨｚ以上であることが好ましい。言い換えれば、ハイパスフィルター１４のカットオフ周波数ｆｃの下限ｆｃ１は、５０ＫＨｚであることが好ましい。【００９５】
また、ハイパスフィルター１４のカットオフ周波数ｆｃは、６／（８×１０−３）＝７５０Ｈｚの周波数の信号成分を、少なくとも２０ｄＢ以上減衰させる周波数であることが好ましい。係る要件を満たすために、ハイパスフィルター１４のカットオフ周波数ｆｃは、８ＫＨｚ以上であることがより好ましい。言い換えれば、ハイパスフィルター１４のカットオフ周波数ｆｃ１の下限ｆｃ１は、８ＫＨｚであることがより好ましい。【００９６】
尚、以下の説明では、主として、カットオフ周波数ｆｃの下限ｆｃ１を、５０ＫＨｚに設定した場合についての説明を進めるが、カットオフ周波数ｆｃの下限ｆｃ１が８ＫＨｚ以上であれば、５０ＫＨｚに設定した場合と同様の効果を享受することができることは言うまでもない。【００９７】
他方、光ディスク１００の一具体例であるＤＶＤ−Ｒ  ＤＬ（Dual Layer）では、１／１４Ｔ＝１．８６ＭＨｚとなる。従って、ハイパスフィルター１４のカットオフ周波数ｆｃは、１．８６ＭＨｚよりも小さい必要がある。例えば、ハイパスフィルター１４のカットオフ周波数ｆｃは、４００ＫＨｚ（＝０．４ＭＨｚ）であることが好ましい。言い換えれば、ハイパスフィルター１４のカットオフ周波数ｆｃの上限ｆｃ２は、４００ＫＨｚであることが好ましい。カットオフ周波数ｆｃが４００ＫＨｚ以下の値に設定されることで、最長ピットを再生することで得られる検出信号成分は、多くとも０．２ｄＢ程度しか減衰されない。【００９８】
例えば、カットオフ周波数ｆｃが５０ＫＨｚであるハイパスフィルター１４のフィルタ特性を図９に示す。図９に示すように、カットオフ周波数ｆｃが５０ＫＨｚであると、５０ＫＨｚの信号成分を３ｄＢ減衰させ、７５０Ｈｚの周波数で変動する直流電圧レベルの変動（即ち、偏心に起因して生ずる直流電圧レベルの変動）を３４ｄＢ減衰させることができる。また、最長ピットを再生することで得られる検出信号の信号成分を多くともせいぜい０．２ｄＢ程度しか減衰させない。【００９９】
また、カットオフ周波数ｆｃが８ＫＨｚであるハイパスフィルター１４のフィルタ特性は、図９に示す特性図のグラフが左へ平行移動したものと同様になる。この場合であっても、８ＫＨｚの信号成分を３ｄＢ減衰させ、７５０Ｈｚの周波数で変動する直流電圧レベルの変動（即ち、偏心に起因して生ずる直流電圧レベルの変動）を２０ｄＢ減衰させることができる。また、最長ピットを再生することで得られる検出信号の信号成分を多くともせいぜい０．２ｄＢ程度しか減衰させない。【０１００】
尚、カットオフ周波数ｆｃは、ｆｃ１とｆｃ２との間の範囲に収まっていればよいため、ｆｃ＝５０ＫＨｚに限らず、図１０に示すように、５０ＫＨｚから２００ＫＨｚまでの間の（或いは、８ＫＨｚから２００ＫＨｚまでの間の）任意の値に設定することができる。ハイパスフィルター１４のカットオフ周波数ｆｃがこの範囲の値に設定されていれば、７５０Ｈｚの周波数で変動する直流電圧レベルの変動（即ち、偏心に起因して生ずる直流電圧レベルの変動）を３４ｄＢ以上（或いは、２０ｄＢ以上）減衰させることができると共に、最長ピットを再生することで得られる検出信号の信号成分を多くともせいぜい０．２ｄＢ程度しか減衰させない。【０１０１】
他方、カットオフ周波数ｆｃは、ｆｃ１とｆｃ２との間の範囲に収まっていなければ、偏心に起因して生ずる直流電圧レベルの変動を除去することが困難ないしは不可能となったり、或いは、光ディスク１００に記録されているデータをそのものの検出信号を減衰してしまったりする。【０１０２】
例えば、図１１に示すように、カットオフ周波数ｆｃが、下限ｆｃ１よりも小さければ、偏心に起因して生ずる直流電圧レベルの変動を３４ｄＢ以上（或いは、２０ｄＢ以上）減衰することができない。つまり、偏心に起因して生ずる直流電圧レベルの変動を除去することが困難となる。このため、カットオフ周波数ｆｃは、周波数がｎ／Ｔｍである信号成分を十分に減衰できる周波数（例えば、下限ｆｃ１以下）である必要がある。【０１０３】
他方、図１２に示すように、カットオフ周波数ｆｃが、上限ｆｃ２よりも大きければ、最長ピットを再生することで得られる検出信号を過度に減衰してしまう。つまり、光ディスク１００に記録されているデータそのものを再生することが困難になってしまう。このため、カットオフ周波数ｆｃは、最長ピットを再生することで得られる検出信号を、再生に影響を与えない程度にしか減衰しない周波数（例えば、上限ｆｃ２以下）である必要がある。【０１０４】
このように、ハイパスフィルター１４のカットオフ周波数ｆｃを、ｆｃ１とｆｃ２との間に設定することで、図１３（ａ）に示すような、偏心に起因して生ずる直流電圧レベルの変動成分を有する検出信号がハイパスフィルター１４に入力されれば、図１３（ｂ）の太線にて示すような変動成分が除去された検出信号が２値化回路１６に出力される。その結果、図１３（ｂ）の鎖線にて示すような理想的な２値化電圧を用いて２値化信号を得ることができる。【０１０５】
他方、本実施例に係る情報再生装置１の如くハイパスフィルター１４のカットオフ周波数ｆｃを設定しない比較例に係る情報再生装置（例えば、規格により定められているカットオフ周波数が１ＫＨｚ程度のハイパスフィルターを有する情報再生装置）では、図１３（ｃ）に示すような変動成分を含んだ検出信号がハイパスフィルター１４から２値化回路１６に出力される。その結果、２値化回路１６では、図１３（ｃ）の鎖線にて示す理想的な２値化電圧にて検出信号を２値化する必要が出てくる。しかしながら、２値化回路１６の２値化電圧を検出信号に合わせて高速度で追従させることができないため、実際には、図１３（ｃ）の一点鎖線にて示すような２値化電圧にて検出信号を２値化することになる。これでは、好適な２値化を行うことができない。【０１０６】
しかるに、本実施例によれば、図１３（ｂ）に示すように、偏心により生ずる変動成分が除去された検出信号を、理想的な２値化電圧を用いて好適に２値化処理することができる。【０１０７】
以上説明したように、本実施例に係る情報再生装置１によれば、Ｌ０層とＬ１層との間の相対偏心に起因して検出信号に生ずる直流電圧レベルの変動を、検出信号より好適に除去することができる。その結果、検出信号を好適に再生処理（例えば、２値化処理等）することができるため、多層型の光ディスク１００に記録されたデータを好適に再生することができる。【０１０８】
尚、ハイパスフィルター１４のカットオフ周波数ｆｃは、情報再生装置１の製造時に予め設定されてもよいし、或いは、光ディスク１００にデータを記録する際に適宜調整するないしは変更するように構成してもよい。【０１０９】
また、上述の実施例では、カットオフ周波数ｆｃを求める際の便宜を考慮して、偏心の大きさとして、規格上の許されている許容量の最大値を用いている。しかしながら、実際の光ディスク１００の偏心の大きさを用いてカットオフ周波数ｆｃの範囲を設定するように構成してもよいことは言うまでもない。【０１１０】
また、上述の実施例では、エンボスエリアとグルーブエリアとの境界部分を介してＬ１層にレーザ光ＬＢが照射する場合について説明しているが、例えばデータが記録済みのグルーブエリアとデータが未記録のグルーブエリアとの境界部分を介してＬ１層にレーザ光が照射される場合についても同様のことが言える。この場合も、データが記録済みのグルーブエリアとデータが未記録のグルーブエリアとでは、レーザ光ＬＢに対する透過率が異なることから、上述の如くハイパスフィルター１４のカットオフ周波数ｆｃを設定することで、上述した利益を享受することができる。要は、透過率が相互に異なる第１状態と第２状態との境界部分を介してＬ１層にレーザ光が照射される場合であれば、上述の如くハイパスフィルター１４のカットオフ周波数ｆｃを設定することで、上述した利益を享受することができる。【０１１１】
また、上述の実施例では、２層型の光ディスク１００を用いて説明を進めたが、３層以上の記録層を有する光ディスクについても同様のことが言えることは言うまでもない。【０１１２】
また、上述の実施例では、情報記録媒体の一例として光ディスク１００及び情報再生装置の一例として光ディスク１００に係るプレーヤについて説明したが、本発明は、光ディスク及びそのプレーヤに限られるものではなく、他の高密度記録或いは高転送レート対応の各種情報記録媒体並びにそのプレーヤにも適用可能である。【０１１３】
本発明は、上述した実施例に限られるものではなく、請求の範囲及び明細書全体から読み取れる発明の要旨或いは思想に反しない範囲で適宜変更可能であり、そのような変更を伴なう情報再生装置もまた本発明の技術的範囲に含まれるものである。
【産業上の利用可能性】
【０１１４】
本発明に係る情報再生装置は、例えば、ＤＶＤプレーヤ等の情報再生装置等に利用可能である。また、例えば民生用或いは業務用の各種コンピュータ機器に搭載される又は各種コンピュータ機器に接続可能な情報再生装置等にも利用可能である。
【図１】
0004776035.tif 000002
【図２】
0004776035.tif 000003
【図３】
0004776035.tif 000004
【図４】
0004776035.tif 000005
【図５】
0004776035.tif 000006
【図６】
0004776035.tif 000007
【図７】
0004776035.tif 000008
【図８】
0004776035.tif 000009
【図９】
0004776035.tif 000010
【図１０】
0004776035.tif 000011
【図１１】
0004776035.tif 000012
【図１２】
0004776035.tif 000013
【図１３】
0004776035.tif 000014